(57)【要約】【課題】手検知センサを用いずに紙幣の取込処理を適切に制御する。【解決手段】現金投入口と、前記現金投入口に紙幣が投入されたことを検知する紙幣投入検知部と、前記取引種別を入力するための操作部と、前記紙幣投入検知部により前記現金投入口に紙幣が投入されたことが検知されてから、前記取引種別に応じた待ち時間が経過した後に、前記現金投入口に投入された紙幣の取込処理を制御する制御部と、を備える、現金処理装置。【選択図】図１
2020013278.tif 000002
【特許請求の範囲】
【請求項１】
現金投入口と、
前記現金投入口に紙幣が投入されたことを検知する紙幣投入検知部と、
取引種別を入力するための操作部と、
前記紙幣投入検知部により前記現金投入口に紙幣が投入されたことが検知されてから、前記取引種別に応じた待ち時間が経過した後に、前記現金投入口に投入された紙幣の取込処理を制御する制御部と、
を備える、現金処理装置。
【請求項２】
前記取引種別は、補充取引および入金取引を含み、
補充取引における待ち時間および入金取引における待ち時間は異なる時間である、請求項１に記載の現金処理装置。
【請求項３】
補充取引における待ち時間は、入金取引における待ち時間よりも長い時間である、請求項２に記載の現金処理装置。
【請求項４】
現金投入口と、
前記現金投入口に紙幣が投入されたことを検知する紙幣投入検知部と、
前記現金投入口へ投入される現金の情報を入力するための操作部と、
前記紙幣投入検知部により前記現金投入口に紙幣が投入されたことが検知され、前記情報に応じた条件が満たされた後に、前記現金投入口に投入された紙幣の取込処理を制御する制御部と、
を備える、現金処理装置。
【請求項５】
前記条件は、待ち時間が経過することであり、
前記制御部は、前記情報から特定される紙幣の金種ごとの投入枚数に基づき、前記待ち時間を設定する、請求項４に記載の現金処理装置。
【請求項６】
前記制御部は、前記情報から特定される紙幣の投入枚数または紙幣の金種が多いほど、前記待ち時間を長い時間に設定する、請求項５に記載の現金処理装置。
【請求項７】
前記情報は前記現金投入口へ投入される現金の金額であり、
前記制御部は、前記情報が示す現金の金額に相当する金種別の紙幣の枚数の総数を前記紙幣の投入枚数として特定する、請求項５または６に記載の現金処理装置。
【請求項８】
前記現金処理装置は、前記現金投入口に硬貨が投入されたことを検知する硬貨投入検知部をさらに備え、
前記情報から硬貨が投入されることが特定された場合、前記条件は、前記硬貨投入検知部により前記現金投入口に硬貨が投入されたことが検知されることである、請求項４に記載の現金処理装置。
【請求項９】
前記現金処理装置は、前記現金投入口に対して設けられた開閉部をさらに備え、
前記取込処理は、前記開閉部を閉める処理を含む、請求項１〜８のいずれか一項に記載の現金処理装置。
【請求項１０】
前記取込処理は、前記現金投入口に投入された紙幣の分離処理を含む、請求項１〜９のいずれか一項に記載の現金処理装置。
【発明の詳細な説明】
【技術分野】
【０００１】
本発明は、現金処理装置に関する。
【背景技術】
【０００２】
近年、小売店やスーパーマーケットなどの流通施設および商業施設に、現金処理装置が設置されている。現金処理装置は、売上金を入金する入金取引、釣銭を出金する釣銭出金取引、および現金を補充する補充取引などを実行する。
【０００３】
入金取引においては、現金投入口に紙幣が投入され、現金投入口に設けられたシャッタが閉まり、現金投入口に投入された紙幣の分離が開始される。上記のシャッタの動作に関し、特許文献１には、現金投入口に手が入っているか否かを検知するセンサを有し、センサの検知結果に基づき、シャッタに手が挟まれないようにシャッタの動作を制御する装置が開示されている。
【先行技術文献】
【特許文献】
【０００４】
【特許文献１】特開２００４−１１８６０２号公報
【発明の概要】
【発明が解決しようとする課題】
【０００５】
しかし、現金投入口に手が入っているか否かを検知する手検知センサを実装すると、装置のコストが増加する。
【０００６】
そこで、本発明は、上記問題に鑑みてなされたものであり、本発明の目的とするところは、手検知センサを用いずに紙幣の取込処理を適切に制御することが可能な、新規かつ改良された現金処理装置を提供することにある。
【課題を解決するための手段】
【０００７】
上記課題を解決するために、本発明のある観点によれば、現金投入口と、前記現金投入口に紙幣が投入されたことを検知する紙幣投入検知部と、取引種別を入力するための操作部と、前記紙幣投入検知部により前記現金投入口に紙幣が投入されたことが検知されてから、前記取引種別に応じた待ち時間が経過した後に、前記現金投入口に投入された紙幣の取込処理を制御する制御部と、を備える、現金処理装置が提供される。
【０００８】
前記取引種別は、補充取引および入金取引を含み、補充取引における待ち時間および入金取引における待ち時間は異なる時間であってもよい。
【０００９】
補充取引における待ち時間は、入金取引における待ち時間よりも長い時間であってもよい。
【００１０】
また、上記課題を解決するために、本発明の別の観点によれば、現金投入口と、前記現金投入口に紙幣が投入されたことを検知する紙幣投入検知部と、前記現金投入口へ投入される現金の情報を入力するための操作部と、前記紙幣投入検知部により前記現金投入口に紙幣が投入されたことが検知され、前記情報に応じた条件が満たされた後に、前記現金投入口に投入された紙幣の取込処理を制御する制御部と、を備える、現金処理装置が提供される。
【００１１】
前記条件は、待ち時間が経過することであり、前記制御部は、前記情報から特定される紙幣の金種ごとの投入枚数に基づき、前記待ち時間を設定してもよい。
【００１２】
前記制御部は、前記情報から特定される紙幣の投入枚数または紙幣の金種が多いほど、前記待ち時間を長い時間に設定してもよい。
【００１３】
前記情報は前記現金投入口へ投入される現金の金額であり、前記制御部は、前記情報が示す現金の金額に相当する金種別の紙幣の枚数の総数を前記紙幣の投入枚数として特定してもよい。
【００１４】
前記現金処理装置は、前記現金投入口に硬貨が投入されたことを検知する硬貨投入検知部をさらに備え、前記情報から硬貨が投入されることが特定された場合、前記条件は、前記硬貨投入検知部により前記現金投入口に硬貨が投入されたことが検知されることであってもよい。
【００１５】
前記現金処理装置は、前記現金投入口に対して設けられた開閉部をさらに備え、前記取込処理は、前記開閉部を閉める処理を含んでもよい。
【００１６】
前記取込処理は、前記現金投入口に投入された紙幣の分離処理を含んでもよい。
【発明の効果】
【００１７】
以上説明した本発明によれば、手検知センサを用いずに紙幣の取込処理を適切に制御することが可能である。
【図面の簡単な説明】
【００１８】
【図１】本発明の実施形態による現金処理装置１００の構成を示す説明図である。
【図２】取引選択画面の具体例を示す説明図である。
【図３】第１の動作例を示すフローチャートである。
【図４】第２の動作例を示すフローチャートである。
【図５】第３の動作例を示すフローチャートである。
【図６】第４の動作例で表示される残り時間表示画面の具体例を示す説明図である。
【図７】第４の動作例で表示される注意喚起画面の具体例を示す説明図である。
【図８】第５の動作例で表示される投入選択画面の具体例を示す説明図である。
【図９】第６の動作例で表示される投入完了入力画面の具体例を示す説明図である。
【発明を実施するための形態】
【００１９】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２０】
＜１．現金処理装置の構成＞
本発明の実施形態は、一例として、客から受け取った現金に対する釣銭を出金する現金処理装置に適用される。現金処理装置は、流通施設、商業施設および高速道路の料金所など、多様な場所で用いられる。まず、図１を参照し、このような現金処理装置の構成を説明する。
【００２１】
図１は、本発明の実施形態による現金処理装置１００の構成を示す説明図である。図１に示したように、本発明の実施形態による現金処理装置１００は、本体１００ａおよびアダプタ１００ｂを有する。本体１００ａとアダプタ１００ｂとは有線または無線で接続されている。
【００２２】
本体１００ａは、紙幣投入口１０１と、紙幣シャッタ１０２と、紙幣センサ１０３と、紙幣搬送部１０４と、紙幣鑑別部１０５と、万券カセット１０７と、五千券カセット１０９と、千券カセット１１１と、回収カセット１１３と、リジェクト部１１５と、硬貨投入口１１７と、硬貨搬送部１１８と、硬貨鑑別部１１９と、硬貨返却部１２３と、出金ホッパ１２５と、硬貨回収庫１２７と、硬貨出金箱１２９と、操作表示部１３３と、を備える。
【００２３】
紙幣投入口１０１は、現金処理装置１００に入金される紙幣が投入される現金投入口である。また、紙幣投入口１０１は、紙幣の出金口でもあり、例えば釣銭である紙幣が紙幣投入口１０１から出金される。
【００２４】
紙幣シャッタ１０２は、紙幣投入口１０１に対して設けられた開閉部の一例であり、紙幣投入口１０１を閉める位置、および紙幣投入口１０１を開く位置との間で移動する。紙幣センサ１０３は、紙幣投入口１０１における紙幣の有無を検知する紙幣投入検知部として機能する。
【００２５】
紙幣搬送部１０４は、現金処理装置１００内で紙幣を搬送する。例えば、紙幣搬送部１０４は、紙幣投入口１０１に投入された紙幣を分離し、分離した紙幣を搬送路に繰り出す。さらに、紙幣搬送部１０４は、紙幣を紙幣鑑別部１０５に搬送し、紙幣鑑別部１０５での鑑別結果に応じた搬送先に紙幣を搬送する。また、紙幣搬送部１０４は、紙幣カセットから紙幣を繰出し、繰出された紙幣を紙幣投入口１０１に搬送する。
【００２６】
紙幣鑑別部１０５は、投入された紙幣が正常な紙幣であるか否かを各種センサによって鑑別する。
【００２７】
万券カセット１０７、五千券カセット１０９、および千券カセット１１１は、それぞれ万券、五千券、および千券の紙幣を収納する現金収納部である。具体的には、万券カセット１０７、五千券カセット１０９、および千券カセット１１１（各紙幣カセット）には、バラ状態の各種紙幣が釣銭準備金として収納される。また、各紙幣カセットには、売上として入金され、紙幣鑑別部１０５で正常と鑑別された各種紙幣が収納される。さらに、釣銭出金時には、各紙幣カセットから各種紙幣が出金される。
【００２８】
回収カセット１１３は、売上回収のためのカセットである。具体的には、回収カセット１１３には、精算集計時に、各紙幣カセットから移動された紙幣が売上金として収納される。
【００２９】
リジェクト部１１５には、紙幣鑑別部１０５によって正常な紙幣ではないと鑑別された紙幣、すなわちリジェクトされた紙幣が集積される。具体的には、リジェクト部１１５には、紙幣投入口１０１から紙幣カセットへ紙幣を搬送する際、または紙幣カセットから紙幣投入口１０１または回収カセット１１３に紙幣を搬送する際にリジェクトされた紙幣などが集積される。
【００３０】
硬貨投入口１１７は、現金入金口の一例であり、硬貨が投入される開口である。硬貨搬送部１１８は、硬貨投入口１１７に投入された硬貨を搬送する。また、硬貨搬送部１１８は、出金ホッパ１２５から繰り出された硬貨を硬貨出金箱１２９に搬送する。硬貨鑑別部１１９は、投入された硬貨が正常な硬貨であるか否かを各種センサによって鑑別する。
【００３１】
硬貨返却部１２３は、硬貨の返却口であり、計数が行われた硬貨、入金の取り消しがなされた硬貨が硬貨返却部１２３から返却される。また、出金ホッパ１２５（現金収納部）には、硬貨投入口１１７に投入された各種硬貨が収納されており、釣銭出金時には出金ホッパ１２５から各種硬貨が繰り出される。
【００３２】
硬貨回収庫１２７は、売上回収のためのカセットである。具体的には、硬貨回収庫１２７には、精算集計時に出金ホッパ１２５から移動された硬貨が売上金として収納される。また、硬貨出金箱１２９は、釣銭出金時に硬貨を出金するための硬貨出金口である。
【００３３】
操作表示部１３３は、操作者による操作を検出する操作部としての機能、および各種画面を表示する表示部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。なお、表示部および操作部の機能は分離して構成されてもよい。
【００３４】
アダプタ１００ｂは、図１に示したように、操作指示部１５０および制御部１６０を有する。
【００３５】
操作指示部１５０は、操作者による操作を検出する操作部としての機能、および各種画面を表示する表示部としての機能を包含する。操作者は、例えば操作指示部１５０を操作することにより、現金処理装置１００に所望の取引を実行させることが可能である。なお、操作指示部１５０は、表示機能も有するタッチパネルであってもよい。
【００３６】
制御部１６０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、データ等を記憶する記憶装置などのデータ格納用記憶装置等で構成される。
【００３７】
この制御部１６０は、現金処理装置１００の動作全般を制御する。例えば、制御部１６０は、各紙幣カセットおよび出金ホッパ１２５に収納されている現金の枚数を管理する。また、制御部１６０は、操作表示部１３３および操作指示部１５０に表示される画面を制御する。また、制御部１６０は、紙幣投入口１０１に投入された紙幣の取込処理を制御する。取込処理は、紙幣シャッタ１０２が紙幣投入口１０１を閉める処理、または紙幣投入口１０１に投入された紙幣を紙幣搬送部１０４が分離する処理、の少なくともいずれかを含む。
【００３８】
なお、図１においては制御部１６０を含むアダプタ１００ｂが本体１００ａと分離構成される例を示したが、アダプタ１００ｂの機能および本体１００ａの機能は一体的に構成されてもよい。
【００３９】
＜２．現金処理装置が行う各種取引＞
制御部１６０は、操作者が所望の処理を選択するための取引選択画面を操作表示部１３３または操作指示部１５０に表示させ、取引選択画面において操作者により選択された取引を制御する。以下、図２を参照して取引選択画面の具体例を説明した上で、制御部１６０の制御により実現される各取引の概要を説明する。
【００４０】
図２は、取引選択画面の具体例を示す説明図である。図２に示した取引選択画面は、「入金」ボタン、「補充」ボタン、および「設定ボタン」を含む。
【００４１】
「入金」ボタンが選択された場合、制御部１６０は、入金取引を制御する。入金取引では、売上金額が入力され、入力された売上金額以上の金額の現金が現金処理装置１００に投入されると、制御部１６０は、（投入された現金の金額−売上金額）に相当する現金を釣銭として紙幣投入口１０１または硬貨出金箱１２９に出金させる。釣銭の出金は、紙幣投入口１０１に投入された紙幣が紙幣カセットに収納され、硬貨投入口１１７に投入された硬貨が出金ホッパ１２５に収納された後に行われる。
【００４２】
「補充」ボタンが選択された場合、制御部１６０は、補充取引を制御する。補充取引は、現金処理装置１００に現金を補充するための取引である。補充取引では、紙幣が紙幣投入口１０１に投入され、硬貨が硬貨投入口１１７に投入され、紙幣が紙幣カセットに収納され、硬貨が出金ホッパ１２５に収納される。現金の投入前に、操作表示部１３３または操作指示部１５０が補充金額の入力画面を表示してもよい。
【００４３】
「設定」ボタンが選択された場合、制御部１６０は、設定取引を制御する。設定取引は、現金処理装置１００の動作パラメータを設定するための取引である。
【００４４】
＜３．課題の整理＞
補充取引および入金取引では、上述したように例えば紙幣投入口１０１に紙幣が投入される。しかし、ある種の現金処理装置は、シャッタを閉める処理または紙幣を分離する処理などの取込処理を紙幣の投入途中で開始してしまうことがあった。これに伴い、幾つかの不都合が発生する。
【００４５】
例えば、紙幣の投入途中で紙幣投入口がシャッタにより閉じられると、次に紙幣投入口が開くまで操作者が待たされるので、紙幣の投入完了までに時間がかかる。または、シャッタが紙幣投入口を閉める過程でシャッタが操作者の手に当たったり、操作者の手を挟んだりし、結果、シャッタが故障する。または、紙幣を操作者が持っている状態で紙幣の分離が開始されると、スキューにより紙幣がリジェクトされ、紙幣の再投入が必要となる。
【００４６】
上記不都合を解決するために、紙幣投入口に手を検知するための手検知センサを設ける方法も考えられる。しかし、手検知センサを現金処理装置に実装すると、現金処理装置のコストが増加する。
【００４７】
本件発明者は、上記事情を一着眼点にして本発明の実施形態による現金処理装置１００を創作するに至った。本発明の実施形態による現金処理装置１００は、手検知センサを用いずに紙幣の取込処理を適切に制御することが可能である。以下、このような本発明の実施形態による現金処理装置１００の幾つかの動作例を順次詳細に説明する。なお、以下に説明する各動作例は、単独で実行されてもよいし、組合わせて実行されてもよい。
【００４８】
＜４．現金処理装置の動作＞
（第１の動作例）
補充取引で投入される紙幣の枚数は、入金取引で投入される紙幣の枚数よりも多い傾向がある。このため、紙幣センサ１０３により紙幣が検出されてから取込処理が開始されるまでの待ち時間を入金取引で投入される紙幣の枚数を念頭に設定した場合、補充取引において紙幣の投入途中に取込処理が開始されることが懸念される。
【００４９】
この点に関し、第１の動作例では、取引種別ごとに異なる待ち時間が適用される。すなわち、制御部１６０は、取引種別ごとに設定された待ち時間に従って取込処理を制御する。上述したように、補充取引で投入される紙幣の枚数は、入金取引で投入される紙幣の枚数よりも多い傾向がある。このため、補充取引の待ち時間は入金取引の待ち時間より長いことが望ましい。例えば、補充取引の待ち時間は入金取引の待ち時間の３倍以上に相当する時間であってもよい。以下、図３を参照して、このような第１の動作例を整理する。
【００５０】
図３は、第１の動作例を示すフローチャートである。図３に示したように、操作指示部１５０が取引選択画面を表示し、操作者が取引選択画面から取引を選択する（Ｓ３０８）。ここで、入金および補充以外の取引が選択された場合（Ｓ３０８／その他）、現金処理装置１００は選択された取引を所定の手順に従って実行する（Ｓ３１２）。
【００５１】
入金取引が選択された場合（Ｓ３０８／入金）、紙幣シャッタ１０２が紙幣投入口１０１を開く（Ｓ３１６）。そして、紙幣センサ１０３により紙幣投入口１０１に紙幣が投入されたことが検知されると（Ｓ３２０／Ｙｅｓ）、制御部１６０は、入金取引に設定されている第１の待ち時間の経過を待つ（Ｓ３２４）。ここで、第１の待ち時間は、後述する第２の時間よりも短い時間である。そして、第１の待ち時間が経過すると（Ｓ３２４／Ｙｅｓ）、現金処理装置１００は、制御部１６０の制御に基づき、紙幣シャッタ１０２を閉める処理および分離処理を含む取込処理を開始する（Ｓ３４０）。
【００５２】
補充取引が選択された場合（Ｓ３０８／補充）、紙幣シャッタ１０２が紙幣投入口１０１を開く（Ｓ３２８）。そして、紙幣センサ１０３により紙幣投入口１０１に紙幣が投入されたことが検知されると（Ｓ３３２／Ｙｅｓ）、制御部１６０は、補充取引に設定されている第２の待ち時間の経過を待つ（Ｓ３３６）。ここで、第２の待ち時間は第１の待ち時間よりも長い時間である。そして、第２の待ち時間が経過すると（Ｓ３３６／Ｙｅｓ）、現金処理装置１００は、制御部１６０の制御に基づき、紙幣シャッタ１０２を閉める処理および分離処理を含む取込処理を開始する（Ｓ３４０）。
【００５３】
以上説明した第１の動作例によれば、入金取引においては迅速に取込処理を開始しつつ、補充取引においては取込処理の開始までの待ち時間を確保することにより紙幣の投入途中で取込処理が開始してしまう事象を生じ難くさせることが可能である。紙幣の投入途中で取込処理が開始しないことにより、紙幣の投入完了までの時間を短縮すること、紙幣シャッタ１０２の故障を抑制すること、リジェクト紙幣の発生を抑制すること、などが可能になる。
【００５４】
なお、上記では取引種別ごとに待ち時間が設定されている例を説明したが、現金処理装置１００の管理者が設定取引において取引種別ごとに待ち時間を設定することも可能である。個別の現金処理装置１００の運用状況に適した待ち時間を設定することにより、紙幣の投入途中で取込処理が開始されてしまうことを一層確実に回避できるようになることが期待される。また、第１の動作例における待ち時間は、紙幣の投入が検知されてからの待ち時間でなく、紙幣投入口１０１が開かれてからの待ち時間であってもよい。
【００５５】
（第２の動作例）
上述したように、補充取引で投入される紙幣の枚数と、入金取引で投入される紙幣の枚数は異なる傾向がある。しかし、複数の入金取引間で投入される紙幣の枚数は異なるし、複数の補充取引間でも投入される紙幣の枚数は異なる。すなわち、同一の取引種別に係る取引であっても、紙幣の投入にかかる時間は異なる。
【００５６】
第２の動作例はこのような事情に基づき想起された動作例であり、第２の動作例によれば、取引ごとに入力される現金の情報に応じた条件が満たされた後に、取込処理が開始される。以下、図４を参照し、第２の動作例を説明する。
【００５７】
図４は、第２の動作例を示すフローチャートである。図４は、入金取引または補充取引が選択された後に続く処理を示している。まず、操作指示部１５０は、操作者が投入する現金の金額を入力するための投入金額入力画面を表示する（Ｓ４０４）。操作者は、投入金額入力画面において、投入される現金の情報として投入金額を入力する。
【００５８】
そして、制御部１６０は、入力された投入金額を構成するための紙幣の金種ごとの投入枚数を算出する（Ｓ４０８）。制御部１６０は、紙幣の投入枚数の合計が最小となるように、上記の紙幣の金種ごとの投入枚数を算出する。
【００５９】
さらに、制御部１６０は、紙幣の金種ごとの投入枚数に基づき待ち時間を設定する（Ｓ４１２）。例えば、制御部１６０は、投入枚数が多いほど、または紙幣の金種が多いほど、待ち時間を長い時間に設定する。より具体的には、制御部１６０は、紙幣１枚につき１秒、または金種１つにつき１秒、のような時間を合計することにより、待ち時間を設定してもよい。
【００６０】
その後、紙幣シャッタ１０２が紙幣投入口１０１を開き（Ｓ４１６）、紙幣センサ１０３により紙幣投入口１０１に紙幣が投入されたことが検知されると（Ｓ４２０／Ｙｅｓ）、制御部１６０は、Ｓ４１２において設定した待ち時間の経過を待つ（Ｓ４２４）。そして、待ち時間が経過すると（Ｓ４２４／Ｙｅｓ）、現金処理装置１００は、制御部１６０の制御に基づき、紙幣シャッタ１０２を閉める処理および分離処理を含む取込処理を開始する（Ｓ４２８）。
【００６１】
以上説明したように、第２の動作例によれば、取引ごとに待ち時間が適切に設定される。このため、各取引で待ち時間が短過ぎる、または長過ぎる、といった不都合を生じ難くさせることが可能である。
【００６２】
なお、投入金額入力画面においては、投入される紙幣の金種、または紙幣の金種ごとの投入枚数を入力可能であってもよい。この場合、Ｓ４０８の処理を省略可能である。また、第２の動作例における待ち時間は、紙幣の投入が検知されてからの待ち時間でなく、紙幣投入口１０１が開かれてからの待ち時間であってもよい。
【００６３】
（第３の動作例）
第３の動作例でも、第２の動作例と同様に、取引ごとに入力される現金の情報に応じた条件が満たされた後に、取込処理が開始される。第３の動作例は、「取引ごとに入力される現金の情報に応じた条件」が第２の動作例と異なる。以下、図５を参照して、第３の動作例の動作を説明する。
【００６４】
図５は、第３の動作例を示すフローチャートである。図５は、入金取引または補充取引が選択された後に続く処理を示している。まず、操作指示部１５０は、操作者が投入する現金の金額を入力するための投入金額入力画面を表示する（Ｓ５０４）。操作者は、投入金額入力画面において、投入される現金の情報として投入金額を入力する。
【００６５】
そして、制御部１６０は、入力された投入金額に基づき、硬貨が投入されるか否かを特定する（Ｓ５０８）。例えば、価値が最低である紙幣（日本においては、千円札）に対応する金額未満の端数が投入金額に含まれる場合に、制御部１６０は硬貨が投入されることを特定してもよい。
【００６６】
その後、紙幣シャッタ１０２が紙幣投入口１０１を開き（Ｓ５１２）、紙幣センサ１０３により紙幣投入口１０１に紙幣が投入されたことが検知されると（Ｓ５１６／Ｙｅｓ）、硬貨投入口１１７に硬貨が投入されたことが検知されることを待つ（Ｓ５２０）。そして、硬貨投入口１１７に硬貨が投入されたことが検知されると（Ｓ５２０／Ｙｅｓ）、現金処理装置１００は、制御部１６０の制御に基づき、紙幣シャッタ１０２を閉める処理および分離処理を含む取込処理を開始する（Ｓ５２４）。
【００６７】
硬貨の投入の検知に基づき紙幣の投入が終了したことが推察されるので、以上説明した第３の動作例では、紙幣の投入の後に硬貨が投入される場合に、紙幣の投入途中に紙幣投入口１０１が閉められる事象の発生を抑制することが可能である。なお、紙幣のみが投入される場合、および硬貨が紙幣より先に投入される場合には、他の動作例に従って待ち時間が処理される。
【００６８】
（第４の動作例）
第４の動作例は、取込処理が開始されるまでの残り時間を操作者が理解できるようにする動作例である。制御部１６０は、取込処理が開始されるまでの残り時間を示す残り時間表示画面を操作指示部１５０に表示させる。
【００６９】
図６は、残り時間表示画面の具体例を示す説明図である。図６に示したように、残り時間表示画面は、取込処理が開始されるまでの残り時間を示すバロメータ表示４２を含む。バロメータ表示４２においては、色付きのブロックの数が残り時間を示し、色付きのブロックの数が時間経過に伴って徐々に減少する。なお、取込処理が開始されるまでの残り時間を示す表示は、バロメータ表示４２に限定されず、秒数のカウントダウン表示であってもよい。
【００７０】
さらに、残り時間が所定時間まで減少すると、制御部１６０は操作指示部１５０に注意喚起画面を表示させる。上記所定時間は、例えば３秒であってもよい。
【００７１】
図７は、注意喚起画面の具体例を示す説明図である。図７に示したように、注意喚起画面は、バロメータ表示４２に加え、「間もなく取込みが開始します。」という注意メッセージ４６、および延長ボタン４８を含む。操作者により延長ボタン４８が選択されると、制御部１６０は待ち時間を延長する。延長ボタン４８の選択による待ち時間の延長は複数回に亘って実行可能であってもよい。
【００７２】
以上説明したように、第４の動作例では、残り時間表示画面の表示により、取込処理が開始されるタイミングを操作者が理解することが可能である。従って、操作者は、取込処理が開始されるタイミングには手を紙幣投入口１０１から離しておくことにより、紙幣シャッタ１０２に手が挟まれること、およびスキューの発生を回避することが可能である。さらに、取込処理が開始されるまでの残り時間を延長ボタン４８の選択により延長可能であるので、紙幣の投入が完了するまで残り時間を延長することにより、紙幣の投入完了前に取込処理が開始されてしまうことを防止できる。
【００７３】
（第５の動作例）
第５の動作例は、取込処理が開始されるまでの待ち時間を、取引ごとに操作者が選択できるようにする動作例である。そのために、制御部１６０は、待ち時間を操作者が選択するための投入選択画面を操作指示部１５０に表示させてもよい。
【００７４】
図８は、投入選択画面の具体例を示す説明図である。図８に示した投入選択画面は、「すばやく投入」ボタン５２、および「ゆっくり投入」ボタン５４を含む。現金処理装置１００には、「すばやく投入」に対応する待ち時間、および「ゆっくり投入」に対応する待ち時間が設定取引により事前に設定されている。このため、制御部１６０は、「すばやく投入」ボタン５２が選択された場合には「すばやく投入」に設定されている待ち時間を適用し、「ゆっくり投入」ボタン５４が選択された場合には「ゆっくり投入」に設定されている待ち時間を適用する。「ゆっくり投入」に設定される待ち時間は、「すばやく投入」に設定される待ち時間よりも長い時間である。
【００７５】
このような第５の動作例によれば、操作者が紙幣の投入にかかりそうな時間を見越して「すばやく投入」ボタン５２、または「ゆっくり投入」ボタン５４を選択することにより、紙幣の投入完了前に取込処理が開始されてしまうことを防止できる。なお、第５の動作例における待ち時間は、紙幣の投入が検知されてからの待ち時間でなく、紙幣投入口１０１が開かれてからの待ち時間であってもよい。
【００７６】
（第６の動作例）
第６の動作例は、紙幣の投入完了を操作者が明示的に現金処理装置１００に入力する動作例である。制御部１６０は、投入完了入力画面において操作者により紙幣の投入完了が入力されたことに基づき、取込処理を開始する。
【００７７】
図９は、投入完了入力画面の具体例を示す説明図である。図９に示したように、投入完了入力画面は、投入完了ボタン５６を含む。操作者は、紙幣の投入が完了すると、当該投入完了ボタン５６を選択する。
【００７８】
このような第６の動作例によれば、操作者からの明示的な入力に基づき取込処理が開始されるので、紙幣の投入途中で取込処理が開始してしまうことをより確実に防止することが可能である。
【００７９】
＜５．補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８０】
例えば、本明細書の現金処理装置１００の処理における各ステップは、必ずしもフローチャートとして記載された順序に沿って時系列に処理する必要はない。例えば、現金処理装置１００の処理における各ステップは、フローチャートとして記載した順序と異なる順序で処理されても、並列的に処理されてもよい。
【００８１】
また、現金処理装置１００に内蔵されるＣＰＵ、ＲＯＭおよびＲＡＭなどのハードウェアに、上述した現金処理装置１００の各構成と同等の機能を発揮させるためのコンピュータプログラムも作成可能である。また、該コンピュータプログラムを記憶させた記憶媒体も提供される。
【符号の説明】
【００８２】
１００  現金処理装置
１００ａ  本体
１００ｂ  アダプタ
１０１  紙幣投入口
１０２  紙幣シャッタ
１０３  紙幣センサ
１０４  紙幣搬送部
１０５  紙幣鑑別部
１０７  万券カセット
１０９  五千券カセット
１１１  千券カセット
１１３  回収カセット
１１５  リジェクト部
１１７  硬貨投入口
１１８  硬貨搬送部
１１９  硬貨鑑別部
１２３  硬貨返却部
１２５  出金ホッパ
１２７  硬貨回収庫
１２９  硬貨出金箱
１３３  操作表示部
１５０  操作指示部
１６０  制御部
【図１】
2020013278.tif 000003
【図２】
2020013278.tif 000004
【図３】
2020013278.tif 000005
【図４】
2020013278.tif 000006
【図５】
2020013278.tif 000007
【図６】
2020013278.tif 000008
【図７】
2020013278.tif 000009
【図８】
2020013278.tif 000010
【図９】
2020013278.tif 000011